(57)【要約】【課題】音響パラメータの設定を少ない手間で確実に行うことができる音響パラメータ設定装置を提供すること。【解決手段】車載サーバ２００内のサーバ制御部２１０は、構成取得部２１２、検索要求送信部２１４、情報受信部２１６、音響パラメータ設定部２１８を備える。構成取得部２１２は、オーディオ装置１００が新規に取り付けられ、あるいは構成が変更されたときに構成情報を自動的に取得し、検索要求送信部２１４は、検索要求を検索サーバに向けて送信する。この検索要求に対応する製品情報や車両情報が送り返されてくると、情報受信部２１６はこれらを受信し、音響パラメータ設定部２１８は、オーディオ装置１００から取得した構成情報やこれらの受信情報に基づいてオーディオ装置１００の音響パラメータを設定する。【選択図】        図２
2004252279.tif 000002
【特許請求の範囲】
【請求項１】
オーディオ装置を構成する各製品の識別情報と接続情報とを含む構成情報を取得する構成取得手段と、
前記識別情報を含む検索要求を、ネットワークを介して接続される検索サーバに送信する検索要求送信手段と、
前記検索サーバから送り返されてくる前記識別情報に対応する前記各製品の製品情報を受信する情報受信手段と、
前記構成取得手段によって取得された前記接続情報と、前記情報受信手段によって受信された前記製品情報とに基づいて、前記オーディオ装置の音響パラメータの設定を行う音響パラメータ設定手段と、
を備えることを特徴とする音響パラメータ設定装置。
【請求項２】
請求項１において、
前記オーディオ装置は、車両に搭載されており、
前記検索要求送信手段によって前記検索サーバに送信される検索要求には、前記オーディオ装置が搭載された車両の車名と年式とが含まれており、
前記情報受信手段によって受信される情報には、前記製品情報の他に、前記検索サーバにおいて前記車名と前記年式に基づいて検索された車両情報が含まれており、
前記音響パラメータ設定手段は、前記接続情報、前記製品情報および前記車両情報に基づいて、前記オーディオ装置の音響パラメータの設定を行うことを特徴とする音響パラメータ設定装置。
【請求項３】
請求項１または２において、
前記構成取得手段は、前記オーディオ装置を構成する各製品の変更の有無を判定しており、
前記構成取得手段によって変更有りと判定されたときに、前記検索要求送信手段による前記検索要求の送信動作と、前記情報受信手段による情報の受信動作と、前記音響パラメータ設定手段による音響パラメータの設定動作が再実行されることを特徴とする音響パラメータ設定装置。
【発明の詳細な説明】
【０００１】
【発明の属する技術分野】
本発明は、各種の音響パラメータの設定を行う音響パラメータ設定装置に関する。
【０００２】
【従来の技術】
最近の車載用オーディオ装置の中には、最適な音響パラメータを設定して、車両毎に最適な音響空間を設定したり、利用者の好みにあった音響特性を得ることができるようになっているものがある。例えば、オーディオ装置に含まれる適応フィルタの係数データを音響パラメータの一つとして考えた場合に、この係数データの値を最適値に設定することにより、聴取位置において所望の音響特性となるような音響空間を実現することが可能になる。ところで、このような係数データの値は車種毎に異なっているため、車種毎に適した係数データの値をネットワーク経由して取得することができるデータ配信システムが知られている（例えば、特許文献１参照。）。このデータ配信システムでは、車両側において車種を指定することにより、この車種に最適な係数データの値を取得することが可能になる。
【０００３】
【特許文献１】
特開平１０−３０７５９２号公報（第３−５頁、図１−３）
【０００４】
【発明が解決しようとする課題】
ところで、上述した特許文献１に開示されたデータ配信システムでは、設定対象を適応フィルタの係数データとしているため、車室内空間の形状が特定可能な車種データを指定すればよかったが、オーディオ装置に関する各種の音響パラメータを同様の手法で設定しようとすると、その設定のための操作が煩雑になるという問題があった。例えば、使用するオーディオ装置やシステム構成、使用スピーカ等を指定して、対応する音響パラメータの設定情報をネットワーク経由で取得することにより最適な音響特性の設定が可能になるが、これらの詳細な指定を行うためには、これらの製品の型番や製品名を調べる必要がある。オーディオ装置やスピーカの型番等まで覚えている利用者は少ないため、通常は、マニュアル本を見たり、製品の筐体に添付されたラベル等を見ることになり、作業自体が煩雑であるとともに、車室内に取り付けられた後は分解取り外しをしない限りラベル等を見ることが困難な場合も多い。
【０００５】
本発明は、このような点に鑑みて創作されたものであり、その目的は、音響パラメータの設定に必要な操作の煩雑さをなくすことができる音響パラメータ設定装置を提供することにある。
【０００６】
【課題を解決するための手段】
上述した課題を解決するために、本発明の音響パラメータ設定装置は、オーディオ装置を構成する各製品の識別情報と接続情報とを含む構成情報を取得する構成取得手段と、識別情報を含む検索要求を、ネットワークを介して接続される検索サーバに送信する検索要求送信手段と、検索サーバから送り返されてくる識別情報に対応する各製品の製品情報を受信する情報受信手段と、構成取得手段によって取得された接続情報と、情報受信手段によって受信された製品情報とに基づいて、オーディオ装置の音響パラメータの設定を行う音響パラメータ設定手段とを備えている。これにより、必要な各種の情報が自動的に取得されて音響パラメータの設定が行われるため、オーディオ装置の利用者は詳細な設定を行う必要がなく、音響パラメータの設定に必要な操作の煩雑さをなくすことができる。
【０００７】
また、上述したオーディオ装置は、車両に搭載されており、検索要求送信手段によって検索サーバに送信される検索要求には、オーディオ装置が搭載された車両の車名と年式とが含まれており、情報受信手段によって受信される情報には、製品情報の他に、検索サーバにおいて車名と年式に基づいて検索された車両情報が含まれており、音響パラメータ設定手段は、接続情報、製品情報および車両情報に基づいて、オーディオ装置の音響パラメータの設定を行うことが望ましい。これにより、車両毎に異なる取り付け位置等の詳細な車両情報の取得が自動的に行われるため、従来であれば入力項目が多くて設定が複雑であった車載のオーディオ装置の音響パラメータの設定についても、必要な操作の煩雑さをなくすことができる。
【０００８】
また、上述した構成取得手段は、オーディオ装置を構成する各製品の変更の有無を判定しており、構成取得手段によって変更有りと判定されたときに、検索要求送信手段による検索要求の送信動作と、情報受信手段による情報の受信動作と、音響パラメータ設定手段による音響パラメータの設定動作が再実行されることが望ましい。これにより、新規にオーディオ装置を取り付けた場合だけでなく、スピーカ等を追加したり変更したりして構成に変更が生じた場合であっても、煩雑な操作を行うことなく構成変更後のオーディオ装置の音響パラメータの設定を行うことが可能になる。
【０００９】
【発明の実施の形態】
以下、本発明を適用した一実施形態の音響パラメータ設定システムについて、図面を参照しながら説明する。
図１は、一実施形態の音響パラメータ設定システムの構成を示す図である。図１に示す音響パラメータ設定システムは、各車両に搭載されたオーディオ装置１００および車載サーバ２００と、オーディオ装置１００の音響パラメータの設定に必要な製品情報や車両情報を車載サーバ２００に提供する検索サーバ３００とを含んで構成されている。車載サーバ２００と検索サーバ３００との間は、所定のネットワーク４００を介して接続されている。なお、本実施形態におけるネットワーク４００は、移動体電話網や無線ＬＡＮやインターネットなどの各種の通信網を含んで構成されている。また、車載サーバ２００とネットワーク４００との間は、例えば、車両に備わった移動体電話（あるいは無線ＬＡＮ端末等）を用いて接続されているものとする。
【００１０】
上述した音響パラメータ設定システムでは、オーディオ装置１００によってこのオーディオ装置１００に含まれる各製品の型番とこれらの各製品の接続情報が車載サーバ２００に送られる。音響パラメータ設定装置としての車載サーバ２００では、オーディオ装置１００から送られてくるこれらの情報の内、型番を抜き出して、車載サーバ２００が搭載された車両の車名と年式とともに検索サーバ３００に送信する。検索サーバ３００では、車両から送られてきた型番に基づいて各製品の周波数特性等の音響パラメータの設定に関連のある仕様を検索するとともに、車名および年式に基づいてこれらによって特定される車両におけるオーディオ装置１００の取り付け位置（スピーカ等の取り付け位置）等を検索し、これらの検索結果を車載サーバ２００に向けて送り返す。車載サーバ２００では、検索サーバ３００から送られてきた各製品の仕様および各製品の取り付け位置等と、オーディオ装置１００から送られてきた各製品の接続情報とに基づいて、オーディオ装置１００における音響パラメータの設定が行われる。
【００１１】
次に、オーディオ装置１００と車載サーバ２００を含む車載装置の詳細について説明する。図２は、車載装置の詳細構成を示す図である。
図２に示す車載装置は、ヘッドユニット（Ｈ／Ｕ）１１０、アンプユニット１２０、複数のスピーカ１３０を有するオーディオ装置１００と、このオーディオ装置１００と車載ＬＡＮ２５０を介して接続された車載サーバ２００とを備えている。
【００１２】
ヘッドユニット１１０は、操作部１１１、ＣＤ（コンパクトディスク）プレーヤ１１２、ＭＤ（ミニディスク）プレーヤ１１３、ＦＭ／ＡＭチューナ１１４、オーディオ制御部１１５、ディスプレイ装置１１６、通信制御部１１７を含んで構成されている。操作部１１１は、利用者がオーディオ装置１００に対して各種の操作指示を与えるためのものであり、各種の操作キーを備えている。ＣＤプレーヤ１１２は、オーディオ制御部１１５から与えられる動作指示に対応してＣＤに記録された各種の音楽を再生し、オーディオ信号をアンプユニット１２０に向けて出力する。同様に、ＭＤプレーヤ１１３は、オーディオ制御部１１５から与えられる動作指示に対応してＭＤに記録された各種の音楽を再生し、オーディオ信号をアンプユニット１２０に向けて出力する。ＦＭ／ＡＭチューナ１１４は、オーディオ制御部１１５から与えられる動作指示に対応してＦＭ放送またはＡＭ放送を受信して復調することによりオーディオ信号を生成し、生成したオーディオ信号をアンプユニット１２０に向けて出力する。オーディオ制御部１１５は、操作部１１１に対して与えられる動作指示に対応してヘッドユニット１１０およびアンプユニット１２０の全体を制御するものであり、ＣＰＵおよびメモリを含んで構成されている。ディスプレイ装置１１６は、操作部１１１を用いて行われる操作内容やＣＤプレーヤ１１２、ＭＤプレーヤ１１３、ＦＭ／ＡＭチューナ１１４の動作状態を表示する。通信制御部１１７は、ヘッドユニット１１０とアンプユニット１２０あるいは車載サーバ２００との間で車載ＬＡＮ２５０を介して相互にデータを送受信する処理を行う。
【００１３】
アンプユニット１２０は、各種の音楽ソース（ＣＤプレーヤ１１２、ＭＤプレーヤ１１３、ＦＭ／ＡＭチューナ１１４）から入力されたオーディオ信号を選択的に増幅するとともに、車載サーバ２００によって設定された音響パラメータを反映した音質補正等の処理を行う。
【００１４】
図３は、アンプユニット１２０の詳細構成を示す図である。図３に示すように、アンプユニット１２０は、信号切替部１２１、複数のイコライザ部（ＥＱ）１２２、複数の信号遅延部１２３、複数の増幅器１２４、フィルタ係数設定部１２５、遅延量設定部１２６、アンプ制御部１２７、通信制御部１２８を含んで構成されている。
【００１５】
信号切替部１２１は、各種の音楽ソースから入力されるオーディオ信号の中から一つを選択して出力する。選択されたオーディオ信号は、後段の複数のイコライザ部１２２に並行して入力される。各イコライザ部１２２は、複数の周波数帯域のそれぞれのゲインを調整するためのものであり、例えば、通過帯域の中心周波数が異なる変更可能なゲインを有する複数の帯域通過フィルタと、各フィルタ出力を合成する混合器とを含んで構成されている。また、各イコライザ部１２２は、大まかな周波数帯域毎に用途が決まっており、低域用のスピーカ１３０が接続可能な信号ラインに対応するイコライザ部１２２は、低域をさらに複数に分割した各周波数帯域のゲイン調整が行われる。同様に、中域用のスピーカ１３０が接続可能な信号ラインに対応するイコライザ部１２２は、中域をさらに複数に分割した各周波数帯域のゲイン調整が行われる。高域用のスピーカ１３０が接続可能な信号ラインに対応するイコライザ部１２２は、高域をさらに複数に分割した各周波数帯域のゲイン調整が行われる。
【００１６】
各信号遅延部１２３は、前段のイコライザ部１２２に１対１に対応しており、対応するイコライザ部１２２から出力されるオーディオ信号を所定時間遅延させて出力する。各信号遅延部１２３の遅延量は任意に設定することができる。各増幅器１２４は、前段の信号遅延部１２３から出力されるオーディオ信号を増幅して出力する。各増幅器１２４の出力端には、利用者が購入した機種および数のスピーカ１３０が接続されている。
【００１７】
フィルタ係数設定部１２５は、複数のイコライザ部１２２のそれぞれに含まれる各帯域通過フィルタのフィルタ係数を設定する。これにより、各イコライザ部１２２における各周波数帯域毎のゲイン設定が行われる。遅延量設定部１２６は、各信号遅延部１２３の遅延量を設定する。アンプ制御部１２７は、信号切替部１２１によって選択されるオーディオ信号を指定したり、フィルタ係数設定部１２５、遅延量設定部１２６の各設定内容を指定する。また、アンプ制御部１２７は、アンプユニット１２０自身および接続されたスピーカ１３０のそれぞれの製品型番や接続情報を収集して、車載サーバ２００に送信する処理を行う。例えば、アンプユニット１２０や各スピーカ１３０には製品識別用のＩＣチップが搭載されており、このＩＣチップに記録された型番データがアンプ制御部１２７によって読み出される。また、各増幅器１２４とスピーカ１３０との接続状態（接続の有無）が検出され、どの出力端子にどの型番のスピーカ１３０が接続されているかを示す接続情報が作成される。通信制御部１２８は、アンプユニット１２０とヘッドユニット１１０あるいは車載サーバ２００との間で車載ＬＡＮ２５０を介して相互にデータを送受信する処理を行う。
【００１８】
また、図２に示す車載サーバ２００は、サーバ制御部２１０、通信制御部２２０、２２２を含んで構成されている。サーバ制御部２１０は、ＣＰＵやメモリで構成されており、車載サーバ２００の全体を制御する。具体的には、サーバ制御部２１０は、オーディオ装置１００から送られてくる型番や接続情報からなる構成情報を取得し、必要な検索要求を検索サーバ３００に向けて送信するとともに、送り返されてくる製品情報や車両情報を受信する処理を行う。このために、サーバ制御部２１０は、構成取得部２１２、検索要求送信部２１４、情報受信部２１６、音響パラメータ設定部２１８を含んで構成されている。構成取得部２１２は、オーディオ装置１００の構成情報（各製品の型番と接続情報）を取得する。検索要求送信部２１４は、この構成情報に含まれる型番と、車載サーバ２００が搭載された車両の車名と年式とが含まれる検索要求を検索サーバ３００に向けて送信する。情報受信部２１６は、この検索要求に対応して検索サーバ３００から送り返されてくる製品情報と車両情報を受信する。音響パラメータ設定部２１８は、情報受信部２１６によって受信した製品情報、車両情報と、構成取得部２１２によって取得した構成情報に含まれる接続情報とに基づいて、オーディオ装置１００に関する各種の音響パラメータの設定を行う。
【００１９】
本実施形態では、３種類の音響パラメータとしてタイムコレクション、クロスオーバー、パラメトリックイコライザに関する設定が行われる。タイムコレクションとは、各スピーカ１３０の信号線や取り付け位置等を考慮して、アンプユニット１２０から出力されたオーディオ信号が各スピーカ１３０によってオーディオ音に変換されて車室内空間に放出されたときに、聴取位置に同時に到達するように調整するための音響パラメータである。具体的には、遅延量設定部１２６によって各信号遅延部１２３の遅延量を指定することによりこの音響パラメータの設定が行われる。
【００２０】
また、クロスオーバーとは、各スピーカ１３０の入出力特性に適合するようにアンプユニット１２０の出力周波数特性を調整するための音響パラメータである。具体的には、フィルタ係数設定部１２５によって各イコライザ部１２２の各周波数帯域毎のフィルタ係数を指定することによりこの音響パラメータの設定が行われる。この音響パラメータの調整を適切に行うことにより、例えば、高域用のスピーカ１３０に過大な低域のオーディオ信号を入力したために生じる破損等の不具合をなくすことができる。
【００２１】
また、パラメトリックイコライザとは、音楽のジャンル別に適した音質調整を行うためにアンプユニット１２０の出力周波数特性を調整するための音響パラメータである。具体的には、クロスオーバーの場合と同様に、フィルタ係数設定部１２５によって各イコライザ部１２２の各周波数帯域毎のフィルタ係数を指定することによりこの音響パラメータの設定が行われる。
【００２２】
また、図２に示した一方の通信制御部２２０は、車載サーバ２００とヘッドユニット１１０あるいはアンプユニット１２０との間で車載ＬＡＮ２５０を介して相互にデータを送受信する処理を行う。他方の通信制御部２２２は、車載サーバ２００がネットワーク４００を介して検索サーバ３００との間で構成情報や音響パラメータの設定情報等の各種データ通信を行うために必要な処理を行う。例えば、この通信制御部２２２には、移動体電話（図示せず）が外付けされている。
【００２３】
次に、検索サーバ３００の詳細構成について説明する。図１に示すように、検索サーバ３００は、サーバ制御部３１０、検索ＤＢ（データベース）３１２、通信制御部３１４を含んで構成されている。
サーバ制御部３１０は、車載サーバ２００から検索要求が送られてきたときに、この検索要求に含まれるオーディオ装置１００を構成する各製品の型番と、車両の車名および年式とに基づいて検索を行い、製品情報と車両情報を送り返す処理を行う。このサーバ制御部３１０は、ＣＰＵやメモリを含んで構成されており、所定のプログラムを実行することにより所定の制御動作を行う。検索ＤＢ３１２は、各型番に対応する製品情報と、各車名および年式に対応する車両情報とを格納する。なお、本実施形態では、一つの検索サーバ３００がネットワーク４００に接続されているものとして説明を行っているが、オーディオ装置１００の製造メーカー毎および車両の製造メーカー毎に自車製品に関する検索サーバを備えるようにしたり、詳細情報はこれらの各メーカー自身が管理し、検索サーバ３００から各メーカーに問い合わせを行って必要な情報を入手するようにしてもよい。
【００２４】
上述した構成取得部２１２が構成取得手段に、検索要求送信部２１４が検索要求送信手段に、情報受信部２１６が情報受信手段に、音響パラメータ設定部２１８が音響パラメータ設定手段にそれぞれ対応する。
本実施形態の音響パラメータ設定システムはこのような構成を有しており、次にその動作を説明する。
【００２５】
図４は、車載サーバ２００内のサーバ制御部２１０の動作手順を示す流れ図である。サーバ制御部２１０内の構成取得部２１２は、オーディオ装置１００が新規に取り付けられたか否かを判定する（ステップ１００）。車両の購入直後等においてオーディオ装置１００が新規に取り付けられた場合には肯定判断が行われ、構成取得部２１２は、新規に取り付けられたアンプユニット１２０の型番や各スピーカ１３０の型番、アンプユニット１２０と各スピーカ１３０との接続情報を含む構成情報を取得する（ステップ１０１）。例えば、これらの構成情報は、アンプユニット１２０内のアンプ制御部１２７に問い合わせを行うことにより取得することができる。
【００２６】
また、オーディオ装置１００が新規に取り付けられたものでない場合にはステップ１００において否定判断が行われ、次に、構成取得部２１２は、既に取り付けられているオーディオ装置１００について構成情報に変更があるか否かを判定する（ステップ１０２）。構成情報に変更がない場合にはステップ１０２の判定において否定判断が行われ、ステップ１００に戻ってオーディオ装置１００の新規取付の有無判定が繰り返される。
【００２７】
また、オーディオ装置１００の構成情報が変更された場合（例えば、買い換えによってアンプユニット１２０そのものが他の機種に変更された場合や、スピーカ１３０を追加購入した場合等）にはステップ１０２の判定において肯定判断が行われ、構成取得部２１２は、変更された構成情報を取得する（ステップ１０３）。
【００２８】
このようにして新規あるいは変更後の構成情報が取得された後、検索要求送信部２１４は、この取得した構成情報に含まれる型番と、車両の車名および年式とを含む検索要求を検索サーバ３００に向けて送信する（ステップ１０４）。なお、車種および年式の各データについては、車載サーバ２００の取り付け時に既に指定された車種・年式情報を用いたり、エンジン制御部（図示せず）の内蔵メモリにこれらの情報が記録されている場合にはその情報を読み出して用いることができる。
【００２９】
検索サーバ３００内のサーバ制御部３１０は、何れかの車両に搭載された車載サーバ２００から検索要求が送られてくると、この検索要求に含まれる型番に基づいて製品情報を検索するとともに、車名および年式に基づいて車両情報を検索し、これらの検索結果を検索要求の送信元の車載サーバ２００に向けて送り返す処理を行う。
【００３０】
車載サーバ２００のサーバ制御部２１０内の情報受信部２１６は、検索要求が送信された後、検索サーバ３００から送り返されてきた製品情報および車両情報を受信したか否かを判定しており（ステップ１０５）、受信するまでこの判定を繰り返す。また、検索要求に対応する製品情報、車両情報が検索サーバ３００から送り返されてくるとステップ１０５の判定において肯定判断が行われ、次に、音響パラメータ設定部２１８は、受信した製品情報および車両情報と、オーディオ装置１００から取得した接続情報とに基づいて、最適な音響パラメータの設定処理を行う（ステップ１０６）。その後、ステップ１００に戻ってオーディオ装置１００の新規取付の有無判定が繰り返される。
【００３１】
このように、本実施形態の車載サーバ２００によって、必要な各種の情報が自動的に取得されて音響パラメータの設定が行われるため、オーディオ装置１００の利用者は詳細な設定を行う必要がなく、音響パラメータの設定に必要な操作の煩雑さをなくすことができる。特に、音響パラメータの設定が自動化されたことにより、車室内に既に取り付けられているスピーカ１３０やアンプユニット１２０の型番を見るために、これらの製品を取り外す必要がなくなるため、これらの作業に要していた手間を大幅に削減することができる。
【００３２】
また、新規にオーディオ装置１００を取り付けた場合だけでなく、スピーカ１３０等を追加したり変更したりしてオーディオ装置１００の構成に変更が生じた場合であっても、煩雑な操作を行うことなく構成変更後のオーディオ装置１００の音響パラメータの設定を行うことが可能になる。
【００３３】
なお、本発明は上記実施形態に限定されるものではなく、本発明の要旨の範囲内において種々の変形実施が可能である。例えば、上述した実施形態では、車両に搭載されたオーディオ装置１００の音響パラメータを設定する場合を説明したが、家庭用等のその他の用途、場所に用いられるオーディオ装置の音響パラメータを設定する場合にも本発明を適用することができる。その場合に、車載サーバ２００の動作は、パーソナルコンピュータやその他のコンピュータに行わせることができる。
【００３４】
また、上述した実施形態は、設定対象となる音響パラメータとして、タイムコレクション、クロスオーバー、パラメトリックイコライザの３種類を考えたが、これらの一部について設定を行ったり、これら以外の音響パラメータの設定を行うようにしてもよい。
【００３５】
【発明の効果】
上述したように、本発明によれば、必要な各種の情報が自動的に取得されて音響パラメータの設定が行われるため、オーディオ装置の利用者は詳細な設定を行う必要がなく、音響パラメータの設定に必要な操作の煩雑さをなくすことができる。
【図面の簡単な説明】
【図１】一実施形態の音響パラメータ設定システムの構成を示す図である。
【図２】車載装置の詳細構成を示す図である。
【図３】アンプユニットの詳細構成を示す図である。
【図４】車載サーバ内のサーバ制御部の動作手順を示す流れ図である。
【符号の説明】
１００  オーディオ装置
１１０  ヘッドユニット（Ｈ／Ｕ）
１２０  アンプユニット
１２２  イコライザ部（ＥＱ）
１２３  信号遅延部
１２４  増幅器
１２５  フィルタ係数設定部
１２６  遅延量設定部
１２７  アンプ制御部
１２８、２２０、２２２、３１４  通信制御部
２００  車載サーバ
２１０、３１０  サーバ制御部
２１２  構成取得部
２１４  検索要求送信部
２１６  情報受信部
２１８  音響パラメータ設定部
３００  検索サーバ
３１２  検索ＤＢ（データベース）
４００  ネットワーク
【図１】
2004252279.tif 000003
【図２】
2004252279.tif 000004
【図３】
2004252279.tif 000005
【図４】
2004252279.tif 000006